(57)【要約】【課題】ラッパ状に拡がり難い伏目処理部を形成することができる編地の伏目方法を提供する。【解決手段】編地１００の終端編目列１０のうち、伏目処理の対象となる対象編目１を含む重ね目２を形成し、その重ね目２のウエール方向に続けて新規編目３を編成する単位編成を繰り返す。各単位編成で新規編目３を編成する際、重ね目２に含まれる対象編目１が表目の場合は新規編目３を裏目とし、重ね目２に含まれる対象編目１が裏目の場合は新規編目３を表目とする。また、ｎを１以上の自然数としたとき、ｎ＋１回目の単位編成においてｎ回目の単位編成で編成した新規編目３と対象編目１とを重ねる際、対象編目１が表目の場合はその表目の裏側に新規編目３を重ね、対象編目１が裏目の場合はその裏目の表側に前記新規編目３を重ねる。【選択図】図１
2015161044.tif 000002
【特許請求の範囲】
【請求項１】
前後に対向する前針床と後針床、およびそれらの針床に編糸を供給する給糸口を備える横編機を用いて、編地の終端編目列の編目のうち、伏目処理の対象となる対象編目を含む重ね目を形成し、その重ね目のウエール方向に続けて新規編目を編成する単位編成を、編地の編幅方向の一端側から他端側に向かって繰り返すことで前記終端編目列を伏目処理する編地の伏目方法において、
各単位編成で前記新規編目を編成する際、前記重ね目に含まれる前記対象編目が表目の場合は前記新規編目を裏目とし、前記重ね目に含まれる前記対象編目が裏目の場合は前記新規編目を表目とし、
ｎを１以上の自然数としたとき、ｎ＋１回目の単位編成においてｎ回目の単位編成で編成した前記新規編目と前記対象編目とを重ねる際、前記対象編目が表目の場合はその表目の裏側に前記新規編目を重ね、前記対象編目が裏目の場合はその裏目の表側に前記新規編目を重ねる編地の伏目方法。
【請求項２】
前記終端編目列はリブ組織である請求項１に記載の編地の伏目方法。
【請求項３】
各単位編成を行う前に、前記給糸口を前記一端側に移動させ、当該単位編成を行う編成領域から退避させておく請求項１または請求項２に記載の編地の伏目方法。
【発明の詳細な説明】
【技術分野】
【０００１】
本発明は、編地のウエール方向終端部の編目を伏目処理する編地の伏目方法に関する。
【背景技術】
【０００２】
横編機で編地を編成する場合、その編地の終端編目列（ウエール方向の終端部にある編目列）の編目が解れないように伏目処理することが行なわれている。伏目処理とは、終端編目列の編目のうち、伏目処理の対象となる対象編目を含む重ね目を形成し、その重ね目のウエール方向に続けて新規編目を編成する単位編成を、編地の編幅方向の一端側から他端側に向かって繰り返す処理である。その繰り返しの際、ｎ＋１回目の単位編成における重ね目は、ｎ回目の単位編成で編成した新規編目と、ｎ＋１回目の単位編成の対象編目と、を重ねることで形成する（ｎは１以上の自然数）。
【０００３】
上記伏目処理として例えば特許文献１には、各単位編成で重ね目のウエール方向に２段分の新規編目を編成し、編地のウエール方向終端部の伸縮性を向上させる編地の伏目方法が開示されている。
【先行技術文献】
【特許文献】
【０００４】
【特許文献１】特開２０１２−４１６６８号公報
【発明の概要】
【発明が解決しようとする課題】
【０００５】
従来の伏目処理では、編地の編成に使用する編糸の種類や終端編目列の編組織によっては、編地のウエール方向終端部がラッパ状に拡がる場合がある。これは、終端編目列がどのような編組織であっても同一の伏目処理を繰り返して伏目処理部を形成することで、伏目処理部が終端編目列を含む編地に比べて収縮し難くなるからであると考えられる。
【０００６】
本発明は、上記事情に鑑みてなされたものであり、その目的は、編地のウエール方向終端部がラッパ状に拡がることを抑制できる編地の伏目方法を提供することにある。
【課題を解決するための手段】
【０００７】
本発明は、前後に対向する前針床と後針床、およびこれらの針床に編糸を供給する給糸口を備える横編機を用いて、編地の終端編目列の編目のうち、伏目処理の対象となる対象編目を含む重ね目を形成し、その重ね目のウエール方向に続けて新規編目を編成する単位編成を、編地の編幅方向の一端側から他端側に向かって繰り返すことで前記終端編目列を伏目処理する編地の伏目方法に係る。この本発明の編地の伏目方法では、各単位編成で前記新規編目を編成する際、前記重ね目に含まれる前記対象編目が表目の場合は前記新規編目を裏目とし、前記重ね目に含まれる前記対象編目が裏目の場合は前記新規編目を表目とする。また、本発明の編地の伏目方法では、ｎを１以上の自然数としたとき、ｎ＋１回目の単位編成においてｎ回目の単位編成で編成した前記新規編目と前記対象編目とを重ねる際、前記対象編目が表目の場合はその表目の裏側に前記新規編目を重ね、前記対象編目が裏目の場合はその裏目の表側に前記新規編目を重ねる。
【０００８】
ここで、『表目』とは、編地の使用時に表となる側（筒状編地であれば筒の外側）から見たときに、編地の裏側（筒状編地であれば筒の内側）から編地の表側に向かって旧編目から引き出される編目のことであり、『裏目』とは、編地の使用時に表となる側からみたときに、編地の表側から裏側に向かって旧編目から引き出される編目のことである。また、『表側』とは、編地の使用時に表となる側のことであり、『裏側』とは、編地の使用時に裏となる側のことである。
【０００９】
上記本発明の伏目処理における伏目処理の対象となる前記終端編目列は、表目のみ、あるいは裏目のみからなる天竺組織であっても良いし、表目と裏目が混在した編組織（例えば、リブ組織）であっても良い。また、各単位編成で形成する重ね目のうち、対象編目ではない方の編目は、表目であっても裏目であっても構わない。つまり、終端編目列の編組織によっては、表目同士を重ねた重ね目となる場合もあるし、裏目同士を重ねた重ね目となる場合もあるし、表目と裏目とを重ねた重ね目となる場合もある。
【００１０】
本発明の編地の伏目方法として、前記終端編目列はリブ組織である形態を挙げることができる。
【００１１】
本発明の編地の伏目方法として、各単位編成を行う前に、前記給糸口を前記一端側に移動させ、当該単位編成を行う編成領域から退避させておく形態を挙げることができる。
【発明の効果】
【００１２】
本発明の編地の伏目方法によれば、編地のウエール方向終端部がラッパ状に拡がることを抑制することができる。それは、重ね目に含まれる終端編目列の対象編目が表目（裏目）の場合、重ね目に続いて編成される新規編目を裏目（表目）とすると共に、重ね目を形成する際、対象編目が表目（裏目）のときは対象編目の裏側（表側）に新規編目を重ねることで、後述する実施形態に示すように、終端編目列の編組織に応じて終端編目列に追従する伏目処理部を形成できるからである。特に、終端編目列がリブ組織の場合、編地のウエール方向終端部がラッパ状に拡がることを効果的に抑制することができる。
【００１３】
各単位編成を行う前に、当該単位編成を行う編成領域から給糸口を退避させておく本発明の編地の伏目方法によれば、当該編成領域から給糸口を退避させない場合に比べて伏目処理部を綺麗に仕上げることができる。上記編成領域から給糸口を退避させておくことで、給糸口から給糸される編糸が伏目処理部を構成する編目に絡んで、当該編目が捻じれたりすることを回避することができるからである。
【図面の簡単な説明】
【００１４】
【図１】終端編目列の伏目処理の前半部分を示す編成工程図である
【図２】終端編目列の伏目処理の後半部分を示す編成工程図である。
【図３】伏目処理部における編目の状態を示す模式図である。
【発明を実施するための形態】
【００１５】
以下の実施形態では、左右方向に延び、かつ、前後方向に互いに対向する前針床（以下、ＦＢ）と後針床（以下、ＢＢ）、および編糸を給糸する給糸口を備え、ＢＢが左右にラッキング可能で、かつ編目の目移しを行うことができる２枚ベッド横編機を用いた編成例を説明する。もちろん、使用する横編機は、２枚ベッド横編機に限定されるわけではなく、例えば４枚ベッド横編機であっても構わない。
【００１６】
＜実施形態１＞
実施形態１では、４×４のリブ組織の単層編地の終端編目列を伏目処理する手順を図１，２の編成工程図に基づいて説明する。なお、伏目処理の対象となる編地は単層編地に限定されるわけではなく、筒状編地を含む多層編地であっても良い。また、編地の終端編目列の編組織も特に限定されず、例えば天竺組織やガーター組織であっても良いし、４×４のリブ組織以外のリブ組織（例えば、１×１や、２×２、２×１など）であっても良い。
【００１７】
図１，２の編成工程図における左欄の「アルファベット＋数字」は編成工程の番号を示し、右欄は針床における編成状態が示されている。各構成で実際に行なわれる操作は太線で示す。説明の便宜上、右欄には終端編目列１０の一部の編目、およびこれらの編目が係止される針床の一部のみを示し、ＢＢのラッキング動作は省略している。これらの図の大文字アルファベットは編針の位置を示す。また、右欄の白丸は編針に係止される旧編目を、黒丸は各工程で編成される新編目を、二重丸は重ね目を示す。
【００１８】
図１のＳ０には、編地１００のウエール方向終端部の終端編目列１０を構成する編目が係止された状態が示されている。終端編目列１０の編目のうち、ＦＢの編針Ａ，Ｂ，Ｃ，Ｄに係止された編目は、編地１００の使用時に表となる側から見たときに表目となる編目であって、ＢＢの編針Ｅ，Ｆ，Ｇ，Ｈに係止された編目は、編地１００の使用時に表となる側から見たときに裏目となる編目である。本実施形態では、ＦＢで編成された編目（ＢＢで編成された編目）は、編地の使用時に表となる側から見たときに表目（裏目）となる。
【００１９】
上記Ｓ０の状態から、編幅方向の一端側（紙面右側）から他端側（紙面左側）に向かって終端編目列１０の伏目処理を開始する。以降、紙面左方向を伏目方向、紙面右側を始端方向と呼ぶ。なお、Ｓ１以降に示す伏目処理を行う前に、終端編目列１０を構成する編目の編幅方向の位置を並べ替えることはせず、終端編目列１０の編目の並びをそのまま利用する。
【００２０】
図１のＳ１，Ｓ２に示す工程は、伏目処理の始端を編成する工程である。始端の編成方法は特に限定されないが、Ｓ１，Ｓ２に示すように行うことで、伏目処理部の始端を綺麗に仕上げることができる。
【００２１】
Ｓ１では、ＢＢの編針Ｈに係止される裏目を、ＦＢの編針Ｈに目移しする。続くＳ２では、給糸口９を伏目方向に移動させ、ＦＢの編針Ｈに係止される編目に続く始端編目０を編成する。始端編目０は、ＦＢで編成された編目であるので、表目である。
【００２２】
Ｓ３では、給糸口９を始端方向に移動させ、Ｓ４〜Ｓ６に示す本発明の編地の伏目方法に備わる単位編成の編成領域から給糸口９を退避させる。Ｓ３の工程は必須ではないが、編成領域から給糸口９を退避させておくことで、給糸口９から伸びる編糸９Ｙが、伏目処理部の編目に絡まることを回避することができる。
【００２３】
Ｓ４では、ＦＢの編針Ｈに係止される始端編目０をＢＢの編針Ｈを経由させてＦＢの編針Ｇに目移しする。続くＳ５では、終端編目列１０の編目のうち、ＢＢの編針Ｇに係止される対象編目１をＦＢの編針Ｇに目移しする。Ｓ５を行う際、ＦＢの編針Ｇには始端編目０が係止されているので、ＦＢの編針Ｇには、終端編目列１０の対象編目１を含む重ね目２が形成される。この重ね目２において、対象編目１は裏目であり、始端編目０は対象編目１の表側（編地１００を使用時に表となる側）に重ねられた状態になる。
【００２４】
Ｓ６では、給糸口９を伏目方向に移動させ、Ｓ５において形成した重ね目２のウエール方向に続けて新規編目３を編成する。新規編目３は、ＦＢで編成されるため、表目である。新規編目３を編成することで、裏目（対象編目１）を含む重ね目２が伏目処理される。
【００２５】
Ｓ６以降は、終端編目列１０の編目のうち、新規編目３に最も近接する編目（Ｓ６においてはＢＢの編針Ｆの編目）を対象編目１として、Ｓ３〜Ｓ６と同様の編成を行うことを繰り返す。具体的には、給糸口９を始端方向に移動させ（Ｓ３相当）、次いでＦＢの編針Ｇの新規編目３をＦＢの編針Ｆに目移しし（Ｓ４相当）、そしてＢＢの編針Ｆの対象編目１をＦＢの編針Ｆに目移しする（Ｓ５相当）。その結果、１回目の単位編成で編成した新規編目３が、２回目の単位編成の裏目（対象編目１）の表側に重ねられた重ね目２が形成される。最後に、給糸口９を伏目方向に移動させ、重ね目２に続く新規編目３を編成する（Ｓ６相当）。新規編目３は、重ね目２のウエール方向に続く表目である。
【００２６】
ここで、Ｓ０におけるＢＢの編針Ｈ，Ｇ，Ｆ，Ｅの編目を伏目処理する際に編成される新規編目３を全て表目とする場合、Ｓ１においてＢＢの編針Ｈ，Ｇ，Ｆ，Ｅの編目を全てＦＢに目移ししてから、伏目処理を行うことが一般的である。その方が、図１に示す編成工程よりも編成効率に優れるからである。つまり、Ｓ１〜Ｓ６に示した編成の手順は、編成効率を重視する通常の考え方では選択し得ない手順であると言える。なお、Ｓ１においてＢＢの編針Ｈ，Ｇ，Ｆ，Ｅの編目を全てＦＢに目移ししてから、伏目処理を行う場合、裏目である対象編目１の裏側に新規編目３が重ねられることになり、編地１００のウエール方向終端部がラッパ状に拡がり易くなる。
【００２７】
図２のＳ７には、図１のＳ６におけるＢＢの編針Ｅの裏目が伏目処理された後の状態が示されている。ＦＢの編針Ｅには、当該裏目を伏目処理する際に編成された新規編目３（表目）が係止されている。この状態から、ＦＢの編針Ｄ，Ｃ，Ｂ，Ａに係止される表目を伏目処理する。
【００２８】
Ｓ８では、給糸口９を始端方向に移動させ、給糸口９を編成領域から退避させる。Ｓ８を行う効果は、Ｓ３を行う効果と同様である。
【００２９】
Ｓ９では、ＦＢの編針Ｅに係止される新規編目３をＢＢの編針Ｄに目移しし、続くＳ１０ではＦＢの編針Ｄに係止される表目（対象編目１）をＢＢの編針Ｄに目移しした。その結果、ＢＢの編針Ｄにおいて、表目（対象編目１）の裏側に新規編目３が重ねられた重ね目２が形成される。
【００３０】
Ｓ１１では、給糸口９を伏目方向に移動させ、表目（対象編目１）を含む重ね目２のウエール方向に続く裏目（新規編目３）を編成した。以降は、新規編目３に最も近接する編目（Ｓ１１においてはＦＢの編針Ｃの編目）を対象編目１とし、Ｓ８〜Ｓ１１と同様の編成を行うことを繰り返し、ＦＢに係止される全ての表目を伏目処理する。
【００３１】
以上説明した編成工程によれば、各単位編成で新規編目３を編成する際、重ね目２に含まれる対象編目１が表目の場合は新規編目３が裏目となり（図２のＳ９〜Ｓ１１参照）、重ね目２に含まれる対象編目１が裏目の場合は新規編目３が表目となる（図１のＳ４〜Ｓ６参照）。また、ｎ＋１回目の単位編成においてｎ回目の単位編成で編成した新規編目３と対象編目１とを重ねる際、対象編目１が表目の場合はその表目の裏側に新規編目３が重ねられ（図２のＳ９，Ｓ１０を合わせて参照）、対象編目１が裏目の場合はその裏目の表側に新規編目３が重ねられる（図１のＳ４，Ｓ５を合わせて参照）。このように新規編目３の形成と配置を行うことで、終端編目列１０の編組織に応じて終端編目列１０に追従する伏目処理部を形成することができる。
【００３２】
上記編成工程によって終端編目列１０に追従する伏目処理部３０を形成できる理由を図３の模式図に基づいて説明する。図３の模式図では、説明の便宜上、紙面右側に六つの裏目が並び、左側に六つの表目が並んだ状態を示している。この図３では、紙面手前側が編地１００の表側、紙面奥側が編地１００の裏側であり、紙面奥側から手前側に向かって旧編目から引き出される編目が表目、紙面手前側から奥側に向かって旧編目から引き出される編目が裏目である（表目は、裏目よりも太い線で示す）。また、図３における伏目処理部３０を構成する新規編目３は、終端編目列１０から離れた位置に図示しており、黒色矢印は、対象編目１の表側に新規編目３を重ねることを、白抜き矢印は、対象編目１の裏側に新規編目３を重ねることを示している。
【００３３】
図３に示すように、終端編目列１０における編幅方向に複数の表目が並んだ部分（二点鎖線の左側部分）は、終端編目列１０（編地１００）を編地１００の表側に凸となるようにカールする傾向にあり、複数の裏側が並んだ部分（二点鎖線の右側部分）は、終端編目列１０（編地１００）を編地１００の裏側に凸となるようにカールする傾向にある。一方、伏目処理部３０におけるウエール方向に複数の表目が連続する部分（右側６目）は、伏目処理部３０を編地１００の裏側に凸となるようにカールする傾向にあり、ウエール方向に複数の裏目が連続する部分（左側６目）は、伏目処理部３０を編地の表側に凸となるようにカールする傾向にある。従って、終端編目列１０の対象編目１が表目（裏目）の場合に伏目処理部３０の新規編目３を裏目（表目）とすることで、終端編目列１０と同じ側にカールする伏目処理部３０となり、終端編目列１０に追従する伏目処理部３０を形成できる。その結果、終端編目列１０を含む編地１００の幅と、伏目処理部３０の幅と、がほぼ揃うため、編地１００のウエール方向終端部がラッパ状に拡がることを抑制することができる。
【００３４】
ここで、上述した編地１００や伏目処理部３０のカールする方向を考慮することなく伏目処理を行うと、編地１００の幅と伏目処理部３０の幅に差ができて、編地１００のウエール方向終端部がラッパ状に拡がってしまう。例えば、対象編目１が表目（裏目）の場合に伏目処理部３０の新規編目３を表目（裏目）とすると、伏目処理部３０のカールする方向が終端編目列１０のカールする方向と逆になるため、終端編目列１０が伸ばされ、編地１００のウエール方向終端部がラッパ状に拡がる。同様に、終端編目列１０の表目と裏目の並びを考慮せずに同一の伏目処理を繰り返し行う従来の伏目方法によっても、終端編目列１０が伸ばされて、編地１００のウエール方向終端部がラッパ状に拡がる。
【００３５】
＜実施形態２＞
実施形態１では、単位編成で重ね目２のウエール方向に続いて１段の新規編目３を編成した。これに対して、重ね目２のウエール方向に続けて複数の新規編目３を編成しても構わない。例えば、図１のＳ６において重ね目２のウエール方向に続く新規編目３を編成した後、給糸口９を始端方向に反転させ、新規編目３のウエール方向に続く２段目の新規編目３を編成する。この場合、重ね目２のウエール方向に２段分の新規編目３が編成される。２段目の新規編目３が次の単位編成で対象編目１に重ねられて重ね目２を形成する。このような編成を行うことで、実施形態１の編地１００よりも伏目処理部の伸縮性を向上させることができる。また、２段目の新規編目３の編成と同時に、次の単位編成の編成領域から給糸口９を退避させることができるという効果もある。
【００３６】
また、１段の新規編目３を編成することと、２段の新規編目３を編成することと、を組み合わせて伏目処理部を形成しても構わない。例えば、奇数回目（偶数回目）の単位編成において１段の新規編目を編成し、偶数回目（奇数回目）の単位編成において２段の新規編目の編成を行うことが挙げられる。
【００３７】
その他、編幅方向に２目以上の幅を有する編目ユニットを形成し、その編目ユニットを伏目処理に利用しても構わない。例えば、図１のＳ０における編目Ｈよりも右側の編針に複数の掛け目を編成し、その掛け目のウエール方向に続く編目ユニットを編成する。その編目ユニットのうちの少なくとも一部の編目を、ＢＢの編針Ｈの編目と重ね合わせて重ね目２を形成する。なお、編目ユニットを２段分編成することもできる。
【符号の説明】
【００３８】
１００  編地    １０  終端編目列  ３０  伏目処理部
０  始端編目
１  対象編目（終端編目列の編目）
２  重ね目
３  新規編目
９  給糸口    ９Ｙ  編糸
ＦＢ  前針床    ＢＢ  後針床
【図１】
2015161044.tif 000003
【図２】
2015161044.tif 000004
【図３】
2015161044.tif 000005